(57)【特許請求の範囲】
【請求項１】
本体前面下側に設られて、遊技球を貯留すると共に貯留された遊技球を出口に向けて傾斜した整列路によって整列させて球発射位置に導く上球受皿と、
同上球受皿の下方に設けられて遊技球を収容する下球受皿と、
前記整列路の出口近傍に設けられて前記下球受皿に連通する球移動経路の開口部を開閉する上開閉板と、
前記上球受皿に設けた上皿球抜きボタンと、
同上皿球抜きボタンの操作に基づいて前記上開閉板が前記開口部を開放して前記上球受皿に貯留された遊技球を前記下球受皿に移動可能にする第１球抜き装置と、
前記下球受皿に設けられた球排出孔を開閉する下開閉板と、
前記上球受皿に設けられ前記上皿球抜きボタンと同時に片手で操作可能な位置に配置されると共に、移動軸が底面から下方向に立設されて上下に変位する押圧式の下皿球抜きボタンと、
一端が前記下開閉板に連結されると共に他端が前記下球受皿から前記上球受皿の内部に引き回されて該上球受皿内に設けられた引掛部材を介して前記下皿球抜きボタンの移動軸に連結されたワイヤを有し、該下皿球抜きボタンを押すことにより前記ワイヤが前記引掛部材を介して引っ張られ、それにより前記下開閉板が前記球排出孔を開放して該下球受皿に収容された遊技球を下方に排出可能にする第２球抜き装置と
を備えたことを特徴とするパチンコ遊技機。
【発明の詳細な説明】
【０００１】
【発明の属する技術分野】
本発明は、パチンコ遊技機に係り、特に遊技球を貯留する上球受皿及び下球受皿から遊技球を抜き出す球抜き機構の改良に関する。
【０００２】
【従来の技術及び発明が解決しようとする課題】
従来、パチンコ遊技機は、本体裏面に設けた賞球供給装置から供給された賞品球等を貯留すると共に遊技球を整列させて球発射位置に供給する上球受皿と、上球受皿からオーバーフローした遊技球や上球受皿から球抜きされた遊技球等を収容する下球受皿とを設けている。そして、上球受皿には、上皿球抜きレバーと、その手動操作により上球受皿に貯留された遊技球を球抜きして下球受皿に送る上球抜き機構が設けられており、また、下球受皿には、下皿球抜きレバーと、その手動操作により、下球受皿に貯留された遊技球を球排出孔を通して球抜きする下球抜き機構がそれぞれ別個に設けられている。そのため、上球受皿に貯留された遊技球を下球受皿に移動させるときには、上皿球抜きレバーを手動操作し、また、下球受皿に貯留された遊技球を外部に排出するときには、上皿球抜きレバーとは離れた位置にある下皿球抜きレバーを操作することにより、それぞれ別個に行われている。
【０００３】
しかし、上記球抜き操作は、遊技中に行われることが多く、その場合に上下の離れた位置にあるいずれかの球抜きレバーの位置を目で確認しながら行う必要があり、煩雑であった。また、いわゆる大当りと言われる特別入賞状態の発生により短時間に大量の賞品球が供給されて、上球受皿及び下球受皿が球で満杯状態になり、これら遊技球を上下球受皿から迅速に抜き取る必要があるときには、上皿球抜きレバー及び下皿球抜きレバーを同時に操作する必要がある。しかし、上皿球抜きレバー及び下皿球抜きレバーは上下離れた位置にあるため、両球抜きレバーを片手で同時に操作することはできず、やむなく遊技を中止して、両手で操作しなければならず非常に煩雑であった。本発明は、上記した問題を解決しようとするもので、上球受皿及び下球受皿の一方または両方からの球抜きを片手で簡単に行うことができるパチンコ遊技機を提供することを目的とする。
【０００４】
【課題を解決するための手段及び発明の効果】
【０００５】
【０００６】
上記目的を達成するために上記請求項１に係る発明の構成上の特徴は、本体前面下側に設られて、遊技球を貯留すると共に貯留された遊技球を出口に向けて傾斜した整列路によって整列させて球発射位置に導く上球受皿と、同上球受皿の下方に設けられて遊技球を収容する下球受皿と、前記整列路の出口近傍に設けられて前記下球受皿に連通する球移動経路の開口部を開閉する上開閉板と、前記上球受皿に設けた上皿球抜きボタンと、同上皿球抜きボタンの操作に基づいて前記上開閉板が前記開口部を開放して前記上球受皿に貯留された遊技球を前記下球受皿に移動可能にする第１球抜き装置と、前記下球受皿に設けられた球排出孔を開閉する下開閉板と、前記上球受皿に設けられ前記上皿球抜きボタンと同時に片手で操作可能な位置に配置されると共に、移動軸が底面から下方向に立設されて上下に変位する押圧式の下皿球抜きボタンと、一端が前記下開閉板に連結されると共に他端が前記下球受皿から前記上球受皿の内部に引き回されて該上球受皿内に設けられた引掛部材を介して前記下皿球抜きボタンの移動軸に連結されたワイヤを有し、該下皿球抜きボタンを押すことにより前記ワイヤが前記引掛部材を介して引っ張られ、それにより前記下開閉板が前記球排出孔を開放して該下球受皿に収容された遊技球を下方に排出可能にする第２球抜き装置とを備えたことにある。
【０００７】
上記のように請求項１に係る発明を構成したことにより、個別に上球受皿から下球受皿へ遊技球を移動させ、また下球受皿から外部へ遊技球を排出させる場合に、上皿球抜きボタン及び下皿球抜きボタンが上球受皿の同時に片手で操作可能な近接した位置に設けられているため、遊技中でも片手で簡単にいずれかの球抜きボタンを選択して操作することができる。これにより、第１球抜き装置が上開閉板を移動させて開口部を開放し、上球受皿から下球受皿へ遊技球を移動させ、または第２球抜き装置が下開閉板を移動させて球排出孔を開放し、下球受皿から遊技球を排出させることができて便利である。そして、いわゆる大当り状態のように大量の賞品球が供給されて、上球受皿及び下球受皿があふれるような場合にも、互いに近接した位置にある上皿球抜きボタン及び下皿球抜きボタンを片手により同時に操作できるので、遊技中でも簡単に、第１球抜き装置及び第２球抜き装置により上球受皿に貯留された遊技球の下球受皿への移動と、下球受皿からの遊技球の排出を同時に行うことができる。
【０００８】
【発明の実施の形態】
以下、本発明の一実施の形態を図面を用いて説明すると、図１及び図２は、本発明に係るパチンコ遊技機の本体１０を斜視図及び背面図により示したものであり、図３は、本体１０の一部を、前面のガラス扉１１及び上皿基板２０を開放した状態で斜視図により示したものである。本体１０のガラス扉１１及び上皿基板２０を開放した内側には、遊技盤３０が設けられている。遊技盤３０は、木、樹脂又は、金属製の板で形成されており、周囲を除く部分に略円弧形の通過レール３１ａ及び仕切りレール３１ｂによって囲まれた遊技領域３２を設けている。遊技盤３０の左下端部（以下、左右方向については、本体１０前面側から視た方向を表すものとする）には、図３に示すように、賞品球を後述する上球受皿２１に排出する賞品球排出口３３が設けられている。また、遊技盤３０の下側には、金属製、樹脂製、木製等の基盤４０が設けられている。
【０００９】
基盤４０には、図３に示すように、通過レール３１ａの右下端につづいてファール球や、上球受皿２１から球抜きされた遊技球の通路である遊技球排出筒４１が設けられている。遊技球排出筒４１の前面下端には開口４１ａが設けられている。通過レール３１ａの遊技球排出筒４１を挟んだ延長位置には、発射レール４２が設けられている。発射レール４２は、その下端部の遊技球発射位置に遊技球を保持するために略直角に曲げられた遊技球保持部４２ａを設けている。遊技球保持部４２ａは、後述する遊技球発射装置７９の打球杆４３の先端が遊技球に当たるように四角形の孔が設けられている。
【００１０】
上皿基板２０は、図１に示すように、基板２０ａ前面に上球受皿２１を設けており、また図３に示すように、右端側に遊技球供給機構６０を設けている。上球受皿２１は、図４に示すように、基板２０ａ前面を除く周囲に囲い２１ａが設けられ、囲い２１ａの内側の左側半分に広い領域の球受入れ部２１ｂを設けている。球受入れ部２１ｂの右側は、徐々に幅が絞られて右方に延びた整列路２１ｃにつなげられている。整列路２１ｃは、遊技球供給機構６０に向けて下方にわずかに傾斜している。上球受皿２１の基板２０ａには、左側位置に賞品球供給口２１ｄが開口しており、賞品球供給口２１ｄには後方に向けて突出した賞品球供給筒２１ｅが取り付けられている。賞品球供給筒２１ｅは、遊技盤３０の下端に設けられた賞品球排出口３３に連結されて、後述する賞品球タンク７３から供給された賞品球を、賞品球排出口３３を介して上球受皿２１に導くようになっている。
【００１１】
囲い２１ａの右端側の平坦領域２１ａ1 には、図４に示すように、上皿球抜きボタン２２ａ及び下皿球抜きボタン２２ｂが互いに隣接して設けられている。上皿球抜きボタン２２ａは、押釦式スイッチであり、そのオンオフに応じて後述する賞球基板７８の制御により、後述する上球受皿２１の電磁ソレノイド２５を通電、非通電状態にさせるようになっている。下皿球抜きボタン２２ｂは、押釦式スイッチであり、そのオンオフに応じて後述する賞球基板７８の制御により、後述する下球受皿５１の電磁ソレノイド５５を通電、非通電状態にさせるようになっている。なお、上皿球抜きボタン２２ａ及び下皿球抜きボタン２２ｂが並設されていることにより、遊技者が混乱しないように両者を区別することが望ましく、例えば各々に表示を設けたり、色分けしたり、形状を異ならせたりする必要がある。
【００１２】
整列路２１ｃの右端には、図５に示すように、段差が設けられており、その下側には開閉板２３が設けられている。開閉板２３の下方には、球抜き通路２４の開口部２４ａが設けられている。球抜き通路２４は、右下方に向けてわずか傾斜して延出され、左端の開口部２４ｂが、上記遊技球排出筒４１の開口４１ａに連通するようになっている。そして、開閉板２３は、その左端が球抜き通路２４の上部に固定された電磁ソレノイド２５の右方に延びたロッド２５ａに取り付けられており、通常は電磁ソレノイド２５の非通電状態におけるロッド２５ａの右方向への突出により、球抜き通路２４を閉鎖している。球抜き通路２４の開放は、電磁ソレノイド２５の通電によりロッド２５ａを左方向へ吸引させて、開閉板２３を左方向に移動させることにより行うことができる。
【００１３】
開閉板２３の右側（図５においては左側）には、遊技球供給機構６０が設けられている。遊技球供給機構６０は、図５に示すように、球抜き通路２４の隣接位置にて上皿基板２０に固定された支持軸６１ａに揺動自在に支持された球受け部材６１を設け、球受け部材６１のほぼ直上部に上皿基板２０に固定された支持軸６２ａに揺動自在に支持された球止め部材６２とを備えている。この遊技球供給機構６０の作動により、遊技球Ｂが１個づつ発射位置に供給されるようになっている。ただし、遊技球供給機構については、上記形式のものに限るものではない。
【００１４】
上皿基板２０の下側には、下皿基板５０が取り付けられている。下皿基板５０は、中央に下球受皿５１を設けており、右端位置に発射ハンドル５２ａを、左端位置に灰皿５２ｂを設けている。下球受皿５１は、図６に示すように、底面部５１ａを設けると共に、基板５０ａ前面を除く底面板５１ａの周囲に囲い５１ｂを設けている。下球受皿５１の背面側の基板５０ａには、遊技球流入口５３ａが設けられており、遊技球流入口５３ａから後方に向けて突出した遊技球流入筒５３が取り付けられている。下球受皿５１の底面部５１ａの略中央には球排出口５１ｃが設けられている。底面部５１ａには、下球受皿５１の前側から後方に向けて水平に形成された図示しない隙間が設けられており、隙間内には球排出口５１ｃを開閉する開閉部材５４が設けられている。
【００１５】
開閉部材５４は、球排出口５１ｃを被覆する開閉板５４ａと、開閉板５４ａから後方に延びた幅の狭い支持部５４ｂとを有し、球排出口５１ｃの後方にて支持部５４ｂが固定ピン５４ｃにより底面部５１ａに回動可能に取り付けられている。また、底面部５１ａの左後端位置には、電磁ソレノイド５５が設けられており、電磁ソレノイド５５のロッド５５ａが、支持部５４ｂの固定ピン５４ｃに対して後方側に取り付けられている。電磁ソレノイド５５の非通電状態においては、ロッド５５ａは、支持部５４ｂになんら作用せず、球排出口５１ｃは開閉板５４ａにより閉鎖されている。電磁ソレノイド５５の通電により、ロッド５５ａが右方向に移動して支持部５４ｂを押し、開閉板５４ａが固定ピン５４ｃを中心として回動することにより球排出口５１ｃを開放させることができる。
【００１６】
遊技盤３０の裏側中央位置には、図２に示すように、樹脂製のセンターカバー７１が設けられており、その左端に各種信号処理を行うメイン基板７２が取り付けられている。センターカバー７１の上部には、賞品球タンク７３が設けられている。賞品球タンク７３の左端下側には、右端下方にわずかに傾斜したタンクレール７４が接続されている。タンクレール７４の右端は、センターカバー７１の右側を下方に延びる賞品球通路７５ａ、７５ｂに連結されている。賞品球通路７５ａ、７５ｂの間には、賞品球ケース（賞品球排出装置）７６が介装されており、賞品球ケース７６は、スプロケット（図示しない）の回動により賞品球を１個づつ下流側の賞品球通路７５ｂに排出するようになっている。賞品球通路７５ｂの下端は、賞品球排出口３３を介して上球受皿２１につながっている。
【００１７】
賞品球通路７５ｂの下端において下賞品球通路７５ｃが分岐されて、中央下方に延出されている。下賞品球通路７５ｃは、下端が下球受皿５１の遊技球流入筒５３に連結されている。そして、賞品球排出口３３において遊技球がオーバーフローすると、遊技球は下賞品球通路７５ｃに流入して、遊技球流入筒５３を通して下球受皿５１に排出される。また、下賞品球通路７５ｃには、その途中位置にて、上記遊技球排出筒４１の下端が接続されている。これにより、遊技球排出筒４１に流入したファール球及び上球受皿２１から球抜きされた遊技球は、下賞品球通路７５ｃを通して下球受皿５１に排出される。
【００１８】
センターカバー７１の下側には、上記入賞口等に入賞した遊技球が遊技盤３０の裏面の開口から落下した遊技球を集める入賞球集合樋７７が、左下方向に傾斜して設けられている。入賞球集合樋７７の右端位置には、賞品球の排出、遊技球の発射等の制御を行う賞球基板７８が取り付けられており、賞球基板７８の下側には、発射モータを含む遊技球発射装置７９が設けられている。賞球基板７８には、上記上皿球抜きボタン２２ａ及び下皿球抜きボタン２２ｂが接続されると共に、電磁ソレノイド２５、５５が接続されている。上皿球抜きボタン２２ａ及び下皿球抜きボタン２２ｂのオンオフ操作に応じて、賞球基板７８の制御により、電磁ソレノイド２５、５５への通電及び通電停止が行われる。
【００１９】
つぎに、上記のように構成した第１の実施形態の動作について説明する。上球受皿２１から下球受皿５１に球抜きする場合には、図７に示すように、上皿球抜きボタン２２ａを押すと、電磁ソレノイド２５が通電され、開閉板２３を移動させることにより、球抜き通路２４の開口部２４ａが開放され、球抜きを行うことができる。また、下球受皿５１に貯留された遊技球については、図８に示すように、上球受皿２１の平坦領域２１ａ1 に上皿球抜きボタン２２ａと並設された下皿球抜きボタン２２ｂを操作することにより、電磁ソレノイド５５が通電される。これにより、球排出口５１ｃを被覆する開閉板５４ａが移動して、球排出口５１ｃを開放し、遊技球を下方に設けた球受け箱Ｃに落下させることができる。すなわち、上皿球抜きボタン２２ａと下皿球抜きボタン２２ｂが、上球受皿２１上の平坦領域２１ａ1に並設されているため、遊技中でも片手で簡単にいずれかの球抜きボタン２２ａ、２２ｂを選択して操作することができ、所望の球受皿からの球抜きを行うことができるので便利である。
【００２０】
そして、パチンコ遊技機がいわゆる大当り状態になり、短時間に上球受皿２１及び下球受皿５１に大量の賞品球が供給され、これら大量の遊技球を迅速に上球受皿２１から下球受皿５１へ移動させ、下球受皿５１から排出させる必要がある場合には、図９に示すように、並設された上皿球抜きボタン２２ａ及び下皿球抜きボタン２２ｂを片手で同時に操作することにより、上下の両電磁ソレノイド２５、５５に通電される。これにより、開閉板２３が移動して、球抜き通路２４の開口部２４ａが開放されると同時に、開閉板５４ａが移動して球排出口５１ｃが開放され、上球受皿２１に貯留された遊技球の下球受皿５１への移動と、下球受皿５１からの遊技球の排出が同時に行われる。すなわち、上皿球抜きボタン２２ａと下皿球抜きボタン２２ｂが、上球受皿２１の平坦領域２１ａ1に並設されており、両球抜きボタン２２ａ，２２ｂを片手で同時に操作することができるので、遊技中でも簡単に両球受皿２１，５１から同時に球抜きを行うことができて便利である。なお、上記実施形態においては、上下開閉板２３、５４ａの駆動を電磁ソレノイド２５、５５により行っているが、電動モータを用いることもできる。
【００２１】
つぎに、第２の実施形態について図面により説明する。本実施形態においては、上球受皿８１と下球受皿９１の球抜きを機械的手段により行うものである。上皿球抜きボタン８２と下皿球抜きボタン８６については、図４に示した球抜きボタンと外形は同様である。
【００２２】
上球受皿８１の整列路８１ｃの下端は、図１０に示すように、開閉板８３が設けられており、開閉板８３の下方には、球抜き通路８４の開口部８４ａが設けられている。球抜き通路８４は、右下方に向けてわずか傾斜して延出され、左端の開口部８４ｂが、上記基盤４０に設けた遊技球排出筒４１の開口４１ａに連結されるようになっている。そして、開閉板８３は、その左端が球抜き通路８４の上端に固定されたコイルバネ８５に接続されると共に、上皿球抜きボタン８２にも連結されている。上皿球抜きボタン８２は、上下に変位する押釦式であり、その上下動が図示しない横方向への動きに変換する機構により開閉板８３に伝達されるようになっている。そして、開閉板８３は、通常はコイルバネ８５の引張力により付勢されて、球抜き通路８４を閉鎖しており、上皿球抜きボタン８２を押すことにより、コイルバネ８５の引張力に対抗して、開閉板８３が左方に移動し、開口部８４ｂが開放され、球抜き通路８４が開放されるようになっている。
【００２３】
下皿球抜きボタン８６は、図１１に示すように、上下に変位する押圧式のボタンであり、上球受皿８１の凹部にスプリング８６ａを介して取り付けられており、その移動軸８６ｂに、上球受皿８１の内部において後述する下球受皿９１に設けられ、上球受皿８１まで引き回されたワイヤ９５の先端が固定されている。ワイヤ９５は、上球受皿８１内に設けた引掛部材９５ａを介して移動軸８６ｂに固定されており、下皿球抜きボタン８６を押すことにより、引っ張られるように調整されている。
【００２４】
下球受皿９１には、図１２に示すように、上記第１の実施形態において示したと同様に、底面部９１ａ中央に球排出口９１ｃが設けられ、同様の構造の開閉部材９４により開閉されるようになっている。そして、開閉板９４ａの支持部９４ｂ後端には、上記ワイヤ９５が取り付けられている。ワイヤ９５は、左方に延出され、下球受皿９１の左端から上部の上球受皿８１内部に引き回されている。
【００２５】
つぎに、上記のように構成した第２の実施形態の動作について説明する。上球受皿８１から下球受皿９１に球抜きする場合には、上皿球抜きボタン８２を押すことにより、コイルバネ８５の付勢力に対抗して開閉板８３が移動して、球抜き通路８４の開口部８４ａが開放され、球抜きを行うことができる。また、下球受皿９１に貯留された遊技球を球抜きする場合には、上球受皿８１において上皿球抜きボタン８２に隣接して設けた下球抜きボタン８６を押すことにより、ワイヤ９５が引っ張られて、球排出口９１ｃを被覆する開閉板９４ａをピン９４ｃを中心として回動させることにより、球排出口９１ｃを開放して遊技球を下方に落下させることができる。すなわち、上皿球抜きボタン８２と下皿球抜きボタン８６が、上球受皿８１の平坦領域８１ａ1 に隣接して設けられているため、遊技中でも簡単にいずれかの球抜きボタンを選択して操作することができ、所望の球受皿からの球抜きを行うことができて便利である。
【００２６】
そして、いわゆる大当り状態の発生等により、大量の賞品球が供給され、上球受皿８１に貯留された遊技球の下球受皿９１への移動と、下球受皿９１からの遊技球の排出を同時に行いたい場合には、上球受皿８１に隣接して設けた上球抜きボタン８２及び下球抜きボタン８６を片手により同時に操作できるので、遊技中でも簡単に、上球受皿８１に貯留された遊技球の下球受皿９１への移動と、下球受皿９１からの遊技球の排出を同時に行うことができ便利である。
【００２７】
なお、上記各実施形態においては、上皿球抜きボタン及び下皿球抜きボタンを上球受皿の右平坦領域に互いに隣接して設けているが、これに限らず、両球抜きボタンを同時に片手で操作できる上球受皿の他の位置に設けることもできる。また、両球抜きボタンを、上球受皿に限らず他の位置に設けることもでき、例えば下球受皿、または本体の前面側の任意の位置に設けることができる。
【００２８】
また、上記各実施形態においては、押圧式の上皿球抜きボタン及び下皿球抜きボタンを用いているが、これに代えて、縦横方向にスライドさせる形式の球抜きレバーにすることもできる。さらに、上記各実施形態においては、上下の開閉板の開閉を、電気的駆動または機械的作動のいずれか一方により行っているが、これらの組み合わせを代えることにより上下の開閉板の開閉を行うこともできる。
【００２９】
また、上記各実施形態においては、上球受皿から下球受皿への球抜き経路については、球抜き通路２４、遊技球排出筒４１、下賞品球通路７５ｃ、遊技球流入筒５３が用いられているが、これに代えて、上球受皿の底壁から下球受皿の上部に向けて突出する球排出管（図示しない）を設け、この球排出管により直接に遊技球の排出を行うようにすることもでき、上球受皿から下球受皿への球抜きをより迅速に行うことができる。
【図面の簡単な説明】
【図１】本発明の一実施形態に係るパチンコ遊技機を概略的に示す斜視図である。
【図２】同パチンコ遊技機を示す背面図である。
【図３】同パチンコ遊技機の一部を概略的に示す斜視図である。
【図４】同パチンコ遊技機の上皿基板を詳細に示す平面図である。
【図５】同パチンコ遊技機の上球受皿の球抜き部分及び遊技球供給部分を背面側から詳細に示す一部断面図である。
【図６】同パチンコ遊技機の下皿基板を詳細に示す平面図である。
【図７】同パチンコ遊技機の上球受皿からの球抜き状態を説明する斜視図である。
【図８】同パチンコ遊技機の下球受皿からの球抜き状態を説明する斜視図である。
【図９】同パチンコ遊技機の上下の球受皿からの球抜き状態を説明する斜視図である。
【図１０】第２の実施形態であるパチンコ遊技機の上球受皿の球抜き部分及び遊技球供給部分を背面側から詳細に示す一部断面図である。
【図１１】同パチンコ遊技機の上球受皿の下球抜レバーの近傍部分を示す断面図である。
【図１２】同パチンコ遊技機の下皿基板の下球受皿部分を示す平面図である。
【符号の説明】
１０…本体、２０…上皿基板、２１…上球受皿、２１ａ1 …平坦領域、２１ｃ…整列路、２１ｄ…賞品球供給口、２２ａ…上皿球抜きボタン、２２ｂ…下皿球抜きボタン、２３…開閉板、２４…球抜き通路、２４ａ…開口部、２５…電磁ソレノイド、２５ａ…ロッド、３０…遊技盤、３３…賞品球排出口、４０…基盤、５０…下皿基板、５１…下球受皿、５１ａ…底面部、５１ｃ…球排出口、５３…遊技球流入筒、５３ａ…遊技球流入口、５４…開閉部材、５４ａ…開閉板、５４ｂ…支持部、５４ｃ…固定ピン、５５…電磁ソレノイド、５５ａ…ロッド、６０…遊技球供給機構、７５ａ，７５ｂ…賞品球通路、７５ｃ…下賞品球通路、７８…賞球基板、８１…上球受皿、８２…上皿球抜きレバー、８３…開閉板、８４…球抜き通路、８５…コイルバネ、８６…下皿球抜きレバー、９１…下球受皿、９１ｃ…球排出口、９４…開閉部材、９４ａ…開閉板、９５…ワイヤ。
【図１】
0003945592.tif 000002
【図２】
0003945592.tif 000003
【図３】
0003945592.tif 000004
【図４】
0003945592.tif 000005
【図５】
0003945592.tif 000006
【図６】
0003945592.tif 000007
【図７】
0003945592.tif 000008
【図８】
0003945592.tif 000009
【図９】
0003945592.tif 000010
【図１０】
0003945592.tif 000011
【図１１】
0003945592.tif 000012
【図１２】
0003945592.tif 000013